(57)【要約】【課題】清掃布を効率的に使うことができる清掃用具を提供する。【解決手段】清掃用具本体１の清掃面は、中央部１２が凸状に形成され、清掃方向に段差１ｍｍの段差部が設けられている。中央部１２の前縁部と後縁部の段差部が、それぞれ、段差部凹部１３と段差部凸部１４とから形成されて平面視凹凸形状になされている。【選択図】        図１
2005000601.tif 000002
【特許請求の範囲】
【請求項１】
清掃用具本体の清掃面に清掃布が装着された清掃用具において、上記清掃用具本体の清掃面は、中央部が凸状に形成され、清掃方向に段差部が設けられており、その中央部の前縁部と後縁部の段差部が平面視凹凸形状になされていることを特徴とする清掃用具。
【請求項２】
清掃布を利用した清掃用具において、その清掃布の片面又は両面に清掃方向に略平行に糸状体が配されていることを特徴とする清掃用具。
【請求項３】
上記清掃布に清掃方向が記されていることを特徴とする請求項２記載の清掃用具。
【発明の詳細な説明】
【０００１】
【発明の属する技術分野】
本発明は、簡単に床や家具等の拭き掃除行うことができる清掃用具に関し、特に清掃布を装着する清掃用具本体の形状を改良した清掃用具に関する。また、床等の仕上げ材が絨毯等起毛された材料であっても簡単に拭き掃除を行うことができる清掃用具に関する。
【０００２】
【従来の技術】
従来の清掃用具としては、例えば、平板状の清掃用具本体と、この清掃用具本体の底面を被覆する不織布等からなる清掃布と、この清掃布を清掃用具本体に留める保持具を備えたものが知られている。この種の清掃用具は、フローリング床等比較的平滑な表面は良好に清掃できるが、絨毯等起毛されたものの表面の場合、絨毯等の上で清掃布を動かす場合の摩擦抵抗が大きく、絨毯等の表面を清掃することが困難であった。
【０００３】
また、清掃用具本体の底面が平坦面に形成されているので、床等の清掃時、底面の周縁部の清掃布でのみ汚れが拭き取られる。そのため、清掃布の限られた部分だけが利用されるにすぎなかった。その欠点を改良したものとして、例えば特開平６−３１１９５４号公報において、清掃用具本体の清掃面の中央部が凸状に形成された清掃用具が記載されている。
【０００４】
【発明が解決しようとする課題】
上記特開平６−３１１９５４号公報における清掃用具の場合、清掃用具本体の清掃面の中央部が凸状に形成されており、清掃方向に段差部が設けられているので、その段差部を利用して拭き布の広い面積を利用して汚れをとることができる。しかしながら、段差部は清掃方向に直線的に設けられているため、清掃布の利用されない面積は多く残されることとなっていた。また、絨毯等起毛されたものの上で清掃布を動かす場合の摩擦抵抗が大きく、絨毯等の表面を清掃することが困難であるという点は改善されなかった。
【０００５】
本発明は上述の問題点に鑑みてなされたものであって、清掃布を効率的に使うことができる清掃用具を提供することを目的としている。また、絨毯等起毛された面の拭き掃除に適した清掃用具を提供することを目的としている。
【０００６】
【課題を解決するための手段】
上記目的を達成するため請求項１記載の発明は、清掃用具本体の清掃面に清掃布が装着された清掃用具において、上記清掃用具本体の清掃面は、中央部が凸状に形成され、清掃方向に段差部が設けられており、その中央部の前縁部と後縁部の段差部が平面視凹凸形状になされていることを特徴とする清掃用具である。
【０００７】
本発明においては、清掃用具本体は一体的に形成されてもよいし、凸状部と他の部分とを別々に形成して一体化してもよいが、合成樹脂を使用して一体的に形成すると生産性に優れるので好ましい。また、清掃具本体の材質は合成樹脂に限定されない。例えば、アルミニウム等の金属製や、金属と合成樹脂とが複合されたものであってもよい。
【０００８】
また、請求項２記載の発明は、清掃布を利用した清掃用具において、その清掃布の片面又は両面に清掃方向に略平行に糸状体が配されていることを特徴とする清掃用具である。
【０００９】
本発明においては、清掃布は不織布製とすると汚れを拭き取り、その汚れを清掃布に保持できるので好ましい。また、不織布の製造時に表面に糸状体を略並行に配して  製造するのがよい。また、略並行に配された糸状体の配されている方向は、表面と裏面とで同じ方向である必要はなく、表面と裏面とで直交する方向に配されていてもよい。
【００１０】
本発明の清掃用具は、清掃布が袋状に形成され、一端から手を挿入できるようになされたものであってもよい。
【００１１】
また、請求項３記載の発明は、請求項２の発明において、上記清掃布に清掃方向が記されていることを特徴とする清掃用具である。
【００１２】
本発明においては、清掃方向を示すには、清掃方向を示す矢印を印刷すると、清掃方向が簡単に判り、清掃布を清掃用具本体に装着する方向を間違えないので好ましい。また、本発明の清掃用具は、清掃布そのものであってもよい。
【００１３】
【作用】
請求項１記載の発明の清掃用具においては、清掃用具本体の清掃面は、中央部が凸状に形成され、清掃方向に段差部が設けられており、その中央部の前縁部と後縁部の段差部が平面視凹凸形状になされている。
平面視凹凸形状になされているので、平面視直線状になされているよりも、中央部前縁部と後縁部を長く形成することができる。つまり、汚れの拭き取りは、主に中央部の前縁部と後縁部で行われるため、前縁部と後縁部とが平面視凹凸状になされることにより、清掃布の汚れ拭き取り面積が広くなり、清掃布の広い面積が利用できる。
【００１４】
請求項２記載の発明の清掃用具においては、その清掃布の片面又は両面に清掃方向に略平行に糸状体が配されている。つまり、糸状体が略並行に配されているので、糸状体と平行な方向であれば、起毛された絨毯等の表面の汚れを小さな抵抗で拭き取ることができる。
【００１５】
請求項３記載の発明の清掃用具においては、清掃布に清掃方向が記されているので、清掃方向が簡単に判り、清掃布を清掃用具本体に装着する方向を間違えない。
【００１６】
【発明の実施の形態】
以下、本発明の実施の形態を実施例にもとづき図面を参照して説明する。
図１は本発明の清掃用具の第１実施例を示す斜視図であり、図２は図１の清掃用具の清掃用具本体を示す斜視図、図３は図１の清掃用具の清掃布の断面図、図４は図１の清掃用具の清掃布の平面図である。
【００１７】
図１において、１０は清掃用具、１は清掃用具本体、２は柄、３は清掃布を示す。柄２は柄本体２１と柄取り付け部２２とからなり、柄本体２１は柄取り付け部２２を介して清掃用具本体１に前後左右に回動自在に取り付けられている。また、清掃布３は図示しない押さえ片により、清掃用具本体１に装着されている。
【００１８】
清掃用具本体１はＡＢＳ樹脂で一体的に形成されている。清掃用具本体１の清掃面１１は、中央部１２が凸状に形成され、清掃方向に段差３ｍｍの段差部が設けられている。中央部１２の前縁部と後縁部の段差部が、それぞれ、段差部凹部１３と段差部凸部１４とから形成されて平面視凹凸形状になされている。段差部凹部１３と段差部凸部１４とは、略サインカーブとなされている。
【００１９】
また、段差部凹部１３と段差部凸部１４の角部１６は、面取りがなされており、拭き取られた汚れが中央部１２の内側の清掃布３に移動しやすくなされており、清掃布の広い面積が利用できる。
【００２０】
清掃布３は、不織布から形成されている。清掃布３の断面中央部は、繊維の方向がランダムな基材３２となされており、基材３２の両面には、糸状体３１が同じ方向に略並行に配されている。
【００２１】
清掃布３の両面には矢印３３が糸状体３１と略並行に印刷されている。
【００２２】
中央部１２の清掃面１１を床面に接して動かせば、清掃具本体前縁部１５は、床面から浮いた状態で移動することになり、床面から浮いた状態にある汚れを付着することができる。また、清掃具本体前縁部１５は直線状になされており、必要に応じて、清掃具本体１を前後に傾けて使用することができるので、こびり付いた汚れも力を加えて拭い去ることができる。
【００２３】
以上のように形成された清掃用具１０で起毛された絨毯の上を拭き掃除をした。清掃用具本体１の移動方向を矢印３３の方向に動かしたところ、小さな力でなだらかに動くことが確かめられた。
【００２４】
また、図４において、破線で示した清掃用具本体１の段差部凹部１３、段差部凸部１４、前縁部１５に対応する部分に汚れが付着しており、効果が確認された。
【００２５】
図５は本発明の清掃用具の他の実施例を示す斜視図である。図５において、４０は清掃用具であり、清掃布４を袋状に３辺を縫合し、一端から手を挿入できるようになされている。また、清掃用具４０の手を挿入する一端と略平行に糸状体４１が配されており、糸状体４１と略並行に矢印４２が印刷されている。
【００２６】
矢印４２は、清掃用具４０の両面に印刷されている。また、袋状の清掃用具４０を内外をひっくり返しても使用できるように、清掃布の両面に矢印が印刷されている。
【００２７】
清掃用具４０が以上のように形成されているので、清掃用具４０の一端から手を差し込み、対象物の表面で左右に動かすことにより、汚れを拭き取ることができる。特に、起毛された布で覆われた乗用車の座席や、新幹線等列車の座席のような３次元形状体を、小さい力で簡単に清掃することができる。
【００２８】
以上、本発明の実施例を図面により説明したが、本発明の具体的構成はこの実施例に限られるものではなく、本発明の要旨を逸脱しない範囲の設計の変更等があっても本発明に含まれる。
【００２９】
例えば、段差部の段差は３ｍｍに限定されるものではなく、用途によって任意に設定されてよい。細かい埃が多い場所に使用するためには段差は小さくてよく、綿埃の多い場所であれば段差は大きくするのがよい。
段差の寸法は、限定されるものではないが、０．５ｍｍ以上２０ｍｍ以下となされるのが好ましく、さらに好ましくは１ｍｍ以上１０ｍｍ以下となされるのがよい。
【００３０】
また、清掃用具本体１の中央部１２と他の部分とを別々に形成し、一体化できるように構成しておき、中央部１２として段差の寸法が異なるいくつかの種類を準備することができる。このようになされることにより、用途によって中央部１２を交換して使用することができる。
【００３１】
また、清掃具本体１の前縁部１５は直線状であっても、平面視凹凸状であってもよい。平面視凹凸状にすれば、清掃具本体前縁部１５で多くの汚れを拭いとることが可能になる。
【００３２】
また、段差部凹部１３及び段差部凸部１４は、前縁部と後縁部とで同じ形状にする必要はなく、形状を互いに異なるものにしてもよい。また、形状は、折れ線状にしてもよく、また、規則的でなくランダムな形状となされてもよい。
【００３３】
また、袋状の清掃用具４０の中には手ではなく、柄のついた清掃具本体を挿入して柄を持って清掃するようにすることもできる。清掃用具４０の開口部より小さい、任意の大きさの清掃用具本体を挿入することにより、手の届かない遠いところや、狭い隙間の掃除もできるので好適である。
【００３４】
【発明の効果】
請求項１記載の発明の清掃用具においては、汚れの拭き取りは、主に中央部の全縁部と後縁部で行われるため、前縁部と後縁部とが平面視凹凸状になされることにより、清掃布の汚れ掻き取り面積が広くなり、清掃布の広い面積が利用される。そのため、一枚の清掃布で広い面積の清掃ができ、経済的である。
【００３５】
また、請求項２記載の発明の清掃用具においては、糸状体が略並行に配された清掃布の場合、糸状体と平行な方向であれば、起毛された絨毯等の表面の汚れを小さな抵抗で拭き取ることができる。そのため、１種類の清掃用具で、平滑な面と起毛された面とが清掃でき、清掃用具の用途を広くすることができる。
【００３６】
また、請求項３記載の発明の清掃用具においては、清掃布に清掃方向が記されているので、清掃方向が簡単に判り、清掃布を清掃用具本体に装着する方向を間違えない。そのため、初めて清掃用具を使用する人でも、清掃用具を正しく使いこなすことができる。
【図面の簡単な説明】
【図１】本発明の清掃用具の一実施例を示す斜視図である。
【図２】図１の清掃用具の清掃用具本体を示す斜視図である。
【図３】図１の清掃用具の清掃布の一部断面図斜視図である。
【図４】図１の清掃用具の清掃布の平面図である。
【図５】本発明の清掃用具の他の実施例を示す斜視図である。
【符号の説明】
１０  清掃用具
１    清掃用具本体
１１  清掃面
１２  中央部
１３  段差部凹部
１４  段差部凸部
３    清掃布
３１  糸状体
３３  矢印（清掃方向）
４０  清掃用具
４    清掃布
４１  糸状体
４２  矢印（清掃方向）
【図１】
2005000601.tif 000003
【図２】
2005000601.tif 000004
【図３】
2005000601.tif 000005
【図４】
2005000601.tif 000006
【図５】
2005000601.tif 000007